(57)【要約】【課題】玉の磨耗を発生しにくくし、長期に渡り歯科エアタービンの回転速度の低下を抑制できる玉軸受及び歯科エアタービン用軸受ユニット並びに歯科エアタービンハンドピースを提供する。【解決手段】玉軸受１００は、一対の軌道輪と、一対の軌道輪のいずれか一方に設けられる主軌道面１５及び副軌道面１７と、一対の軌道輪のいずれか他方に設けられる単列軌道面１９と、主軌道面１５と単列軌道面１９の間に転動自在に配置される複数の主玉２１と、主玉２１同士の間にそれぞれ配置され、隣り合う一対の主玉２１と副軌道面１７とに接する複数の副玉２３と、を具備する。副軌道面１７は、主軌道面１５に対して反予圧側に配置され、主軌道面１５の溝深さよりも深い溝深さを有する。【選択図】図２
2018044646.tif 000002
【特許請求の範囲】
【請求項１】
一対の軌道輪と、
前記一対の軌道輪のいずれか一方に設けられる主軌道面及び副軌道面と、
前記一対の軌道輪のいずれか他方に設けられる単列軌道面と、
前記主軌道面と前記単列軌道面の間に転動自在に配置される複数の主玉と、
前記主玉同士の間にそれぞれ配置され、隣り合う一対の前記主玉と前記副軌道面とに接する複数の副玉と、
を具備し、
前記主玉は、接触角を有して前記主軌道面と前記単列軌道面の間に配置され、
前記副軌道面は、前記主軌道面に対して反予圧側に配置され、前記主軌道面の溝深さよりも深い溝深さを有する玉軸受。
【請求項２】
前記副玉は、前記主玉より小径であり、
前記副玉と前記主玉は、周方向に沿って交互に配置される請求項１記載の玉軸受。
【請求項３】
前記副玉は、前記主玉の中心から軸方向にずれて配置される請求項１又は請求項２に記載の玉軸受。
【請求項４】
前記一対の軌道輪は、内径側の軌道輪の外周面と、外径側の軌道輪の内周面との間の軸方向端部開口を覆う環状の密封部が、それぞれ一体に形成された請求項１〜請求項３のいずれか一項に記載の玉軸受。
【請求項５】
前記副軌道面が複列形成された請求項１〜４のいずれか一項に記載の玉軸受。
【請求項６】
回転軸と、
前記回転軸に設けられ、圧縮空気によって前記回転軸を回転駆動するタービンブレードと、
前記回転軸を回転可能に支持する請求項１〜請求項５のいずれか一項に記載の玉軸受と、
前記玉軸受を介して前記回転軸を支持するハウジングと、
を備える歯科エアタービン用軸受ユニット。
【請求項７】
請求項６に記載の歯科エアタービン用軸受ユニットを備えた歯科エアタービンハンドピース。
【発明の詳細な説明】
【技術分野】
【０００１】
本発明は、玉軸受及び歯科エアタービン用軸受ユニット並びに歯科エアタービンハンドピースに関する。
【背景技術】
【０００２】
一般に、高速回転用の転がり軸受の一つとして総玉軸受が知られている。この総玉軸受は、例えば特許文献１の歯科用ハンドピースや、特許文献２のスピンドルモータ等にも採用され、高速回転する軸を支持している。特許文献１，２の総玉軸受は、いずれも内外輪に単列の軌道面を備えており、玉径が単一の直径となっている。
【先行技術文献】
【特許文献】
【０００３】
【特許文献１】特開平１−２２３９５１号公報
【特許文献２】特開２００３−１７２３５９号公報
【発明の概要】
【発明が解決しようとする課題】
【０００４】
しかしながら、歯科エアタービンに用いられる従来の玉軸受は、３０〜５０万回転／分もの高回転速度で使用されるため、極僅かな玉精度の低下により、各玉の公転速度差が大きく発生する。公転速度差が大きくなると、隣接する玉同士の表面が逆方向に回転しながら衝突することが生じ得る。その場合、玉軸受の玉として耐磨耗性を向上させたセラミック玉を用いていても、セラミック玉に磨耗が発生し、玉の等配が崩れ、歯科エアタービンの回転速度が低下しやすくなるという問題を生じていた。
【０００５】
本発明は上記状況に鑑みてなされたもので、その目的は、玉の磨耗を発生しにくくし、長期に渡り歯科エアタービンの回転速度の低下を抑制できる玉軸受及び歯科エアタービン用軸受ユニット並びに歯科エアタービンハンドピースを提供することにある。
【課題を解決するための手段】
【０００６】
本発明に係る上記目的は、下記構成により達成される。
（１）  一対の軌道輪と、
前記一対の軌道輪のいずれか一方に設けられる主軌道面及び副軌道面と、
前記一対の軌道輪のいずれか他方に設けられる単列軌道面と、
前記主軌道面と前記単列軌道面の間に転動自在に配置される複数の主玉と、
前記主玉同士の間にそれぞれ配置され、隣り合う一対の前記主玉と前記副軌道面とに接する複数の副玉と、
を具備し、
前記主玉は、接触角を有して前記主軌道面と前記単列軌道面の間に配置され、
前記副軌道面は、前記主軌道面に対して反予圧側に配置され、前記主軌道面の溝深さよりも深い溝深さを有する玉軸受。
（２）  回転軸と、
前記回転軸に設けられ、圧縮空気によって前記回転軸を回転駆動するタービンブレードと、
前記回転軸を回転可能に支持する上記の玉軸受と、
前記玉軸受を介して前記回転軸を支持するハウジングと、
を備える歯科エアタービン用軸受ユニット。
（３）  （２）の歯科エアタービン用軸受ユニットを備えた歯科エアタービンハンドピース。
【発明の効果】
【０００７】
本発明によれば、玉の磨耗を従来より発生しにくくできる。また、玉の等配を維持して、長期に渡り歯科エアタービンにおける回転速度の低下を従来よりも抑制できる。
【図面の簡単な説明】
【０００８】
【図１】第１構成例の玉軸受の正面図である。
【図２】図１に示した玉軸受の一部分を切り欠いた斜視図である。
【図３】図２に示した外輪の内周面を示す断面図である。
【図４】図２に示した内輪の一部分を切り欠いた側面図である。
【図５】第１構成例の玉軸受の要部拡大図である。
【図６】第１構成例の玉軸受の要部拡大正面図である。
【図７】第２構成例の玉軸受の正面図である。
【図８】図７に示した玉軸受の外輪の一部分を切り欠いた斜視図である。
【図９】図８に示した外輪の側面図である。
【図１０】図８に示した内輪の一部分を切り欠いた側面図である。
【図１１】第３構成例の玉軸受の一部分を切り欠いた斜視図である。
【図１２】図１１に示した外輪の一部分を切り欠いた側面図である。
【図１３】第３構成例の玉軸受の変形例であって、外輪の一部分を切り欠いた側面図である。
【図１４】第４構成例の玉軸受であって、玉軸受の一部分を切り欠いた側面図である。
【図１５】第５構成例の玉軸受であって、玉軸受の一部分を切り欠いた側面図である。
【図１６】一般的な歯科エアタービンハンドピースを示す概略側面図である。
【図１７】歯科エアタービンハンドピースのヘッド部の拡大断面図である。
【発明を実施するための形態】
【０００９】
以下、本発明の実施形態について、図面を参照して詳細に説明する。
（第１構成例）
図１は第１構成例の玉軸受１００の正面図、図２は図１に示した玉軸受１００の一部分を切り欠いた斜視図である。
図１に示すように、本構成例の玉軸受１００は、一対の軌道輪である内輪１１及び外輪１３と、複数の主玉２１と、複数の副玉２３と、を具備する。主玉２１は大径玉であり、副玉２３は主玉２１より小径な小径玉である。
【００１０】
玉軸受１００は、図２に示すように、外輪１３の内周面に主玉２１の軌道面となる主軌道面１５、及び副玉２３の軌道面となる副軌道面１７が設けられる。また、内輪１１の外周面に主玉２１の軌道面となる単列軌道面１９が設けられる。
【００１１】
主軌道面１５と単列軌道面１９との間には、複数の主玉２１が周方向に配置される。副玉２３は、主玉２１同士の間に配置され、それぞれ隣接する一対の主玉２１と副軌道面１７とに接して、周方向に等配される。したがって、副玉２３と主玉２１とは、周方向に沿って交互に配置される。
【００１２】
つまり、玉軸受１００は、主玉２１と副玉２３が互いに周方向に等配され、主玉２１の軸方向中心位置と、副玉２３の軸方向中心位置とが、互いに軸方向の一方にずれて配置される。
【００１３】
図３は図２に示した外輪１３の内周面を示す断面図、図４は図２に示した内輪１１の一部分を切り欠いた側面図である。
図３に示すように、外輪１３の内周面には、主玉２１の軌道面となる主軌道面１５と、副玉２３の軌道面となる副軌道面１７との２つの軌道面が設けられる。本構成例においては、主軌道面１５と副軌道面１７とが、軸方向に隣接して形成され、径方向に関して、副軌道面１７の溝深さが、主軌道面１５の溝深さよりも深くなっている。
【００１４】
一方、図４に示すように、内輪１１の外周面には主玉２１の軌道面となる単列軌道面１９のみが設けられる。内輪１１は、その外周部において、軸方向一方側に形成された肩部２５と、軸方向他方側に形成されたカウンターボア２７と、を有する。これにより、玉軸受１００は、主玉２１が接触角を有して主軌道面１５と単列軌道面１９の間に配置され、内輪カウンターのアンギュラコンタクト軸受を構成する。また、外輪１３の副軌道面１７は、主軌道面１５に対して予圧方向下流側となる反予圧側に配置される。
【００１５】
図５は第１構成例の玉軸受の要部拡大図、図６は第１構成例の玉軸受の要部拡大正面図である。
玉軸受１００は、主玉２１が等配された場合の主玉２１間の周方向間隔よりも大きな直径の副玉２３を採用している。また、副玉２３は、外輪１３の副軌道面１７との接点Ｐａと、隣り合う一対の主玉２１との接点Ｐｂ，Ｐｃとの３点の内側となる空間に、適正なすきまを有して収まっている。これにより、副玉２３は、主玉２１同士の間から軸方向に飛び出すことがない。
【００１６】
次に、上記した構成の作用を説明する。
本構成の玉軸受１００は、複数の主玉２１が、外輪１３の主軌道面１５と内輪１１の単列軌道面１９との間に配置され、この主玉２１を介して内輪１１及び外輪１３が相対回転する。また、副玉２３は、主玉２１と副軌道面１７とに接して配置される。
【００１７】
副玉２３は、隣り合う主玉２１同士の間に一つが配置され、隣り合う一対の主玉２１と副軌道面１７に対して３つの接点Ｐａ，Ｐｂ，Ｐｃで接する。これにより、副玉２３は、一対の主玉２１と副軌道面１７との間の空間から脱落することなく、軸受内に安定して配置される。また、主玉２１は、副玉２３に挟まれて配置されることで、主玉同士が直接接触することがない。
【００１８】
図６に示すように、それぞれの主玉２１は、軸に沿う方向から見た場合、内輪１１と外輪１３とが相対回転（図示例では、内輪１１が反時計回りに回転）することにより、同一方向（図示例では時計回り）に回転する。それぞれが同一方向に回転する一対の主玉２１の間に挟まれた副玉２３は、接点Ｐｂ，Ｐｃから主玉２１の回転を受けて、反時計回りに回転する。したがって、主玉２１と副玉２３との接点Ｐｂ，Ｐｃは、互いに順方向に接することになり、表面が逆方向に回転しながら接することはない。
【００１９】
ところで、副玉２３は、副軌道面１７との接点Ｐａで副軌道面１７と逆回転しながら接することになる。しかし、この副玉２３と副軌道面１７との接点Ｐａは、ラジアル方向の軸荷重を直接的に受けないため、双方に接した場合でも、副玉２３や副軌道面１７に大きな摩耗が生じることはない。
【００２０】
このように、本構成の玉軸受１００においては、内輪１１及び外輪１３に転がり接触する複数の主玉２１が、隣り合う一対の主玉２１同士間に副玉２３を介在させている。そのため、従来の総玉軸受のように玉の表面同士が逆方向に回転しながら衝突することがない。また、副玉２３には予圧が負荷されないため、副玉２３が自由支持状態となる。よって、主玉２１，副玉２３，主軌道面１５、副軌道面１７，単列軌道面１９に大きな摩耗が生じにくくなる。
【００２１】
また、本構成の玉軸受１００は、副軌道面１７の径方向の溝深さが、主軌道面１５の径方向の溝深さよりも深いため、副玉２３の表面の全周長に対する転がり接触面の周長の割合が、主玉２１よりも大きくなる。よって、副玉２３は副軌道面１７から外れにくくなり、主玉２１も主軌道面１５及び単列軌道面１９から外れにくくなる。したがって、主玉２１及び副玉２３の軸受内からの脱落をより確実に防止できる。
【００２２】
また、外輪１３の主軌道面１５と副軌道面１７とが、共に径方向に窪む溝であるため、複列の軌道面溝を同一ツールで連続加工でき、加工性及び加工精度を向上できる。
【００２３】
また、本構成の玉軸受１００は、副玉２３の中心が、主玉２１の中心に対して軸方向の一方にずれているが、副玉２３の中心と主玉２１の中心とが軸方向に一致して配置されていてもよい。その場合、玉軸受１００の幅を狭められる。
【００２４】
上記の玉軸受１００は、内輪１１の軸方向一方側に肩部２５が形成され、軸方向他方側にカウンターボア２７が形成される。このため、主玉２１は、接触角を大きくして、軸受の軸方向荷重の負荷能力を高めることができる。
【００２５】
なお、本構成の玉軸受１００は、副玉２３は、主玉２１よりも小径であるが、同径であってもよい。
【００２６】
（第２構成例）
次に、第２構成例の玉軸受２００を説明する。なお、以降の説明においては、第１構成例と同一又は同等部分については、同一符号を付して、その説明を省略又は簡略化する。
【００２７】
図７は第２構成例の玉軸受２００の正面図、図８は図７に示した玉軸受２００の外輪２９の一部分を切り欠いた斜視図である。また、図９は図８に示した外輪２９の側面図、図１０は図８に示した内輪３１の一部分を切り欠いた側面図である。
本構成の玉軸受２００は、内輪３１に主軌道面１５及び副軌道面１７を設け、外輪２９に単列軌道面１９を設けた構成となっている。
複数の主玉２１は内輪３１の主軌道面１５と外輪２９の単列軌道面１９との間で円周方向に等配され、主玉２１同士の間には、それぞれ副玉２３が配置される。複数の副玉２３は、副軌道面１７に沿った円周方向に等配される。副玉２３は、主玉２１の中心に対して軸方向一方の側にずれて配置される。
【００２８】
前述したように、図９に示す外輪２９の内周に設けられた単列軌道面１９と、図１０に示す内輪３１の外周に設けられた主軌道面１５は、主玉２１の軌道面となる。また、内輪３１の副軌道面１７は、副玉２３の軌道面となる。本構成の主軌道面１５と副軌道面１７は、内輪３１の外周面に、軸方向に隣接して形成され、径方向に関して、副軌道面１７の溝深さが、主軌道面１５の溝深さよりも深くなっている。
【００２９】
外輪２９は、その内周面に、軸方向一方側に形成された肩部２５と、軸方向他方側に形成されたカウンターボア２７と、を有する。これにより、玉軸受２００は、主玉２１が、接触角を有して主軌道面１５と単列軌道面１９の間に配置される外輪カウンターのアンギュラコンタクト軸受を構成している。また、副軌道面１７は、主軌道面１５に対して反予圧側に配置される。
【００３０】
本構成の玉軸受２００においては、図８に示すように、副玉２３が、内輪３１の副軌道面１７と、隣り合う一対の主玉２１との３つの接点Ｐａ，Ｐｂ，Ｐｃの内側となる空間に適正なすきまを持って収まっている。この玉軸受２００は、主玉２１が等配された場合の間隔よりも大きな副玉２３が採用されることで、副玉２３が、主玉同士の間から軸方向に飛び出すことがない。
【００３１】
また、副軌道面１７の径方向の溝深さは、主軌道面１５の径方向の溝深さよりも深いため、副玉２３が副軌道面１７から外れにくくなる。よって、主玉２１及び副玉２３の軸受内からの脱落をより確実に防止できる。
【００３２】
また、本構成の玉軸受２００によれば、副玉２３に予圧が負荷されず、また、第１構成例の場合よりも副玉２３、副軌道面１７に作用する遠心力が軽減され、より摩耗を生じにくくできる。その他、第１構成例の玉軸受１００と同様の作用効果が得られる。
【００３３】
（第３構成例）
次に、第３構成例の玉軸受３００を説明する。
図１１は第３構成例の玉軸受３００の一部分を切り欠いた斜視図、図１２は図１１に示した外輪の一部分を切り欠いた側面図である。
【００３４】
本構成の玉軸受３００は、外輪３５の内周面に、主玉２１の起動面となる主軌道面１５と、主軌道面１５の両脇に一対の副軌道面１７Ａ，１７Ｂとが設けられる。これにより、主玉２１に隣接する副玉２３が、周方向に沿って、軸方向の一方と他方とに交互にずれて配置される。なお、内輪３３は、図４に示す第１構成例の内輪１１と同様の構成であって、内輪３３の外周面に、主玉２１の軌道面となる単列軌道面１９が設けられる。外輪３５は、内輪３３の溝肩がない側の外輪溝肩３６が厚く形成されることで、副玉２３の脱落が防止される。
【００３５】
本構成の玉軸受３００においては、複数の主玉２１の間に配置される副玉２３は、主玉２１を挟んで軸方向の一方と他方とに交互に配置される千鳥配列となっている。
【００３６】
この玉軸受３００によれば、副玉２３が、主玉２１を挟んで交互に軸方向反対側に配置されるので、主玉２１の中心を挟む両側を副玉２３に接触させることができ、主玉２１の回転バランスが安定する。また、副軌道面１７Ｂに転動する副玉２３には予圧が負荷されないため、副玉２３の摩耗が生じにくくなる。
【００３７】
また、本構成の玉軸受３００は、副軌道面１７Ｂの径方向の溝深さが、主軌道面１５の径方向の溝深さよりも深いため、副玉２３が副軌道面１７Ｂから外れにくくなる。よって、主玉２１及び副玉２３の軸受内からの脱落をより確実に防止できる。
【００３８】
なお、本構成の他に、主軌道面１５及び副軌道面１７Ａ，１７Ｂを内輪３３に、単列軌道面１９を外輪３５に設けた構成としてもよい。
【００３９】
また、玉軸受３００は、図１３に示すように、隣り合う主玉２１同士の間に、軸方向に一対の副玉２３，２３が同位相で配置された構成であってもよい。
【００４０】
この場合、主玉２１が軸受幅方向に対称に副玉２３，２３と接触するため、より安定して主玉２１が転動する。また、主玉２１と副玉２３，２３との接点では、互いに順方向に回転するため、表面が逆方向に回転しながら接することはない。
【００４１】
（第４構成例）
次に、第４構成例の玉軸受４００を説明する。
図１４は第４構成例の玉軸受４００であって、玉軸受４００の一部分を切り欠いた側面図である。
本構成の玉軸受４００は、内輪３９が、内輪３９と一体に形成され、径方向外側に延出された環状の密封部３７を有する。また、外輪４１が、外輪４１と一体に形成され、径方向内側に延出された環状の密封部３８を有する。また、内輪３９には単列軌道面１９が形成され、外輪４１には主軌道面１５と副軌道面１７が形成される。
【００４２】
この玉軸受４００は、内輪３９の軸方向一方側に肩部２５を有し、軸方向他方側にカウンターボア２７を有する。つまり、玉軸受４００は、内輪カウンターのアンギュラコンタクト軸受となる。また、副軌道面１７は、主軌道面１５に対して反予圧側に配置され、径方向に関して、副軌道面１７の溝深さが、主軌道面１５の溝深さよりも深くなっている。
【００４３】
上記構成の玉軸受４００によれば、内輪３９及び外輪４１が、一体に形成された密封部３７，３８を有することにより、新たに別体のシール部材を用いることなく、内輪外周面と外輪内周面との間の軸方向端部開口を覆い、軸受内部への異物の侵入を抑制できる。そのため、少ない部品点数で済み、別体のシール部材を取り付けるための取付構造を必要としないので、内輪３９及び外輪４１の形状を簡素化できる。その他、第１構成例の玉軸受１００と同様の作用効果が得られる。
【００４４】
（第５構成例）
次に、第５構成例の玉軸受５００を説明する。
図１５は第５構成例の玉軸受５００であって、玉軸受５００の一部分を切り欠いた側面図である。
本構成の玉軸受５００は、内輪４３が、内輪４３と一体に形成され、径方向外側に延出された環状の密封部３７を有する。また、外輪４５が、外輪４５と一体に形成され、径方向内側に延出された環状の密封部３８を有する。また、外輪４５には単列軌道面１９が形成され、内輪４３には主軌道面１５と副軌道面１７が形成される。
【００４５】
この玉軸受５００は、外輪４５の軸方向一方側に肩部２５を有し、軸方向他方側にカウンターボア２７を有する。つまり、玉軸受５００は、外輪カウンターのアンギュラコンタクト軸受となる。また、副軌道面１７は、主軌道面１５に対して反予圧側に配置され、径方向に関して、副軌道面１７の溝深さが、主軌道面１５の溝深さよりも深くなっている。
【００４６】
上記構成の玉軸受５００によれば、第４構成例の玉軸受４００の場合と同様の作用効果が得られる。
【００４７】
（第６構成例）
次に、上記説明した各構成の玉軸受を歯科エアタービンに適用した場合について説明する。ここでは、一例として第１構成例の玉軸受１００を歯科エアタービンに適用した例を説明する。
【００４８】
図１６は一般的な歯科エアタービンハンドピース４７を示す概略側面図である。
歯科エアタービンハンドピース４７は、グリップ部４９と、このグリップ部４９の先端部に設けられたヘッド部５１とを備え、術者はこのグリップ部４９を持って例えば歯牙の切削加工を行う。
【００４９】
図１７は歯科エアタービンハンドピース４７のヘッド部５１の拡大断面図である。
ヘッド部５１を構成する歯科エアタービン用軸受ユニット５５は、不図示の歯科処置工具が取り付けられる回転軸５７と、回転軸５７に設けられ、圧縮空気によって回転軸５７を回転駆動するタービンブレード５９と、回転軸５７を回転可能に支承する一対の玉軸受１００Ａ，１００Ｂと、玉軸受１００Ａ，１００Ｂを介して回転軸５７を支持するハウジング６１とを備える。
【００５０】
一対の玉軸受１００Ａ，１００Ｂは、前述した第１構成例の玉軸受と同様の構成を有する。玉軸受１００Ａ，１００Ｂの外輪１３は、ハウジング６１の環状凹部６３に装着されたゴム製リング６５を介して支持される。下方の玉軸受１００Ｂの外輪１３は、スプリングワッシャ６７により上方に付勢され、一対の玉軸受１００Ａ，１００Ｂに予圧が付与される。即ち、この回転軸５７を支承する一対の玉軸受１００Ａ，１００Ｂは、正面組み合わせされると共に、スプリングワッシャ６７の弾性力による定圧予圧が付与される。
【００５１】
本構成の歯科エアタービン用軸受ユニット５５は、上述した玉軸受１００（又は玉軸受２００，３００，４００，５００であってもよい）を用いることにより、主玉の表面同士が、逆方向に回転しながら衝突することがない。これにより、主玉２１に磨耗が発生しにくく、主玉２１の等配が崩れにくくなる。その結果、回転軸５７の回転速度を長期に渡り高く維持できる。
【００５２】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００５３】
以上の通り、本明細書には次の事項が開示されている。
（１）  一対の軌道輪と、
前記一対の軌道輪のいずれか一方に設けられる主軌道面及び副軌道面と、
前記一対の軌道輪のいずれか他方に設けられる単列軌道面と、
前記主軌道面と前記単列軌道面の間に転動自在に配置される複数の主玉と、
前記主玉同士の間にそれぞれ配置され、隣り合う一対の前記主玉と前記副軌道面とに接する複数の副玉と、
を具備し、
前記主玉は、接触角を有して前記主軌道面と前記単列軌道面の間に配置され、
前記副軌道面は、前記主軌道面に対して反予圧側に配置され、前記主軌道面の溝深さよりも深い溝深さを有する玉軸受。
この玉軸受によれば、複数の主玉が主軌道面と単列軌道面との間に配置される。また、副玉が主玉同士の間にそれぞれに配置され、隣り合う一対の主玉と副軌道面とに接して転動する。これにより、主玉と副玉との接点は、互いに順方向に接することになり、表面が逆方向に回転しながら接することはない。また、副玉には予圧が負荷されないため、副玉が自由支持状態になり、主玉、副玉、各軌道面に大きな摩耗が生じることはない。
また、副軌道面の径方向の溝深さが、主軌道面の径方向の溝深さよりも深いため、副玉が副軌道面から外れにくくなり、主玉及び副玉の軸受内からの脱落をより確実に防止できる。
（２）  前記副玉は、前記主玉より小径であり、
前記副玉と前記主玉は、周方向に沿って交互に配置される（１）の玉軸受。
この玉軸受によれば、主玉は副玉に挟まれて配置され、主玉同士が直接接することがない。
（３）  前記副玉は、前記主玉の中心から軸方向にずれて配置される（１）又は（２）の玉軸受。
この玉軸受によれば、副玉が主玉の中心よりも軸方向にずれて配置されることで、配置可能な主玉数が増えて軸受の耐荷重能力が増加する。
（４）  前記一対の軌道輪は、内径側の軌道輪の外周面と、外径側の軌道輪の内周面との間の軸方向端部開口を覆う環状の密封部が、それぞれ一体に形成された（１）〜（３）のいずれか一つに記載の玉軸受。
この玉軸受によれば、新たに別体のシール部材を用いることなく、また、各軌道輪の形状を簡素化しつつ、軸受内部への異物の侵入を抑制できる。
（５）  前記副軌道面が複列形成された（１）〜（４）のいずれか一つに記載の玉軸受。
この玉軸受によれば、副玉を複数列配置でき、主玉の回転バランスをより安定させることができる。
（６）  回転軸と、
前記回転軸に設けられ、圧縮空気によって前記回転軸を回転駆動するタービンブレードと、
前記回転軸を回転可能に支持する（１）〜（５）のいずれか一つに記載の玉軸受と、
前記玉軸受を介して前記回転軸を支持するハウジングと、
を備える歯科エアタービン用軸受ユニット。
この歯科エアタービン用軸受ユニットによれば、回転軸の高速回転時においても、摩耗による玉の等配が崩れず、回転速度の低下が生じにくくなる。
（７）  （６）の歯科エアタービン用軸受ユニットを備えた歯科エアタービンハンドピース。
この歯科エアタービンハンドピースによれば、長期にわたって劣化の少ない優れた構成にできる。
【符号の説明】
【００５４】
１１，３１，３３，３９，４３  内輪（軌道輪）
１３，２９，３５，４１，４５  外輪（軌道輪）
１５  主軌道面
１７，１７Ａ，１７Ｂ  副軌道面
１９  単列軌道面
２１  主玉
２３  副玉
３７，３８  密封部
４７  歯科エアタービンハンドピース
５５  歯科エアタービン用軸受ユニット
５７  回転軸
５９  タービンブレード
６１  ハウジング
１００，２００，３００，４００，５００  玉軸受
【図１】
2018044646.tif 000003
【図２】
2018044646.tif 000004
【図３】
2018044646.tif 000005
【図４】
2018044646.tif 000006
【図５】
2018044646.tif 000007
【図６】
2018044646.tif 000008
【図７】
2018044646.tif 000009
【図８】
2018044646.tif 000010
【図９】
2018044646.tif 000011
【図１０】
2018044646.tif 000012
【図１１】
2018044646.tif 000013
【図１２】
2018044646.tif 000014
【図１３】
2018044646.tif 000015
【図１４】
2018044646.tif 000016
【図１５】
2018044646.tif 000017
【図１６】
2018044646.tif 000018
【図１７】
2018044646.tif 000019